(57)【要約】【課題】美観を損ねず、かつ、従来の設計にはほとんど変更を行わずに、局所的に磁場の影響を小さくする回路部品を提供する。【解決手段】回路部品１は、電流供給コイル２と、磁場低減コイル３と、電流調節器４とを有し、磁場６１の変化に対して、磁場６１の方向と逆方向の磁場を、磁場低減コイル３にて電磁誘導を利用することで発生させ、磁場低減コイル３で囲まれる領域の磁場の大きさを低減する。てんぷなどの磁場の影響を低減することが可能となる。【選択図】図１
2019035662.tif 000002
【特許請求の範囲】
【請求項１】
機器の、磁気の影響を受ける 部材の周りに配置され、
外部磁場を打ち消す磁場を、外部磁場の印加により発生させる磁場低減コイルを有する
ことを特徴とする磁場低減部材。
【請求項２】
外部磁場を打ち消す磁場を、外部磁場の印加により発生させる、
前記磁場低減コイルとは異なる電流供給コイルを有し、
前記電流供給コイルは、外部磁場を打ち消す電流を供給するように、前記磁場低減コイルと接続される
ことを特徴とする請求項１に記載の磁場低減部材。
【請求項３】
少なくとも１つの前記電流供給コイルは、前記磁場低減コイルよりも大きな閉面積を有することを特徴とする請求項２に記載の磁場低減部材。
【請求項４】
前記電流供給コイルは、前記機器の外周に配置される
ことを特徴とする請求項３に記載の磁場低減部材。
【請求項５】
前記電流供給コイルと前記磁場低減コイルの接続経路の間に、電流方向を調整する電流調節器を有する
ことを特徴とする請求項１から４のいずれか１つに記載の磁場低減部材。
【請求項６】
前記電流調節器は、電流を発生させるための抵抗と、整流回路と、外部磁場の方向により電流経路を切り替える磁極スイッチを有する
ことを特徴とする請求項５に記載の磁場低減部材。
【請求項７】
前記電流供給コイルと前記磁場低減コイルと前記電流調節器を１枚の基板に搭載した
ことを特徴とする請求項５又は６に記載の磁場低減部材。
【請求項８】
請求項１から７のいずれか１つに記載の磁場低減部材を搭載した時計。
【請求項９】
前記磁場低減部材を文字板側に配置した
ことを特徴とする請求項８に記載の時計。
【請求項１０】
前記文字板が前記磁場低減部材を兼用する
ことを特徴とする請求項８に記載の時計。
【請求項１１】
前記電流供給コイルが文字板側に、前記磁場低減コイルが裏蓋側に配置される
ことを特徴とする請求項２ から７のいずれか１つに記載の磁場低減部材を搭載した時計。
【請求項１２】
前記磁場低減コイルに囲まれる部材は、ひげぜんまいを含むてんぷ、又はステップモータ
であることを特徴とする請求項８から１１のいずれか１つに記載の時計。
【発明の詳細な説明】
【技術分野】
【０００１】
本発明は、電磁誘導を利用し、外環境の磁界が変化したとき、局所的に磁束密度を減少させ、磁場の影響により特性が変化する部品に対し、磁場の影響を和らげるために構成された回路部品及びそれを備えた時計に関する。
【背景技術】
【０００２】
従来から、機械式時計においてひげぜんまいが磁化すると、時計の精度に影響が出るという問題があった。
【０００３】
磁場の影響を和らげるためのものとして、例えば、時計外装ケースをシールドとして堅牢に覆う構造が知られている（下記特許文献１参照）。
【０００４】
更に例えば、アンクル受けなどの文字板平面と平行な平面配置において、ひげぜんまいと重なる部品を透磁性材料で作成し、磁場をそらす構造が知られている。（下記特許文献２参照）
また、ひげぜんまいの材料をシリコンにすることで磁性を無くすことも、近年、公知となっている。
【先行技術文献】
【特許文献】
【０００５】
【特許文献１】実公昭５４−４００４７号公報（第1図）
【特許文献２】特公昭４４−１５９２５号公報（第1図）
【発明の概要】
【発明が解決しようとする課題】
【０００６】
しかし、特許文献１，２のシールドを設ける構造では、時計において最も動きのあるてんぷを隠してしまい、特にスケルトン構造にした場合、美観を損ねてしまう。
【０００７】
また、ひげをシリコンで製作した場合、美観は損ねないが、温度特性が従来とは異なるので、対応したてんぷを新たに設計する必要があり、コストが高くなってしまう。
本発明は時計において、美観を損ねず、かつ、従来の設計にはほとんど変更を行わずに、局所的に磁場の影響を小さくする回路部品を提供することを目的とする。
【課題を解決するための手段】
【０００８】
上記課題を解決するために、本発明は、
機器の、磁気の影響を受ける部材の周りに配置され、
外部磁場を打ち消す磁場を、外部磁場の印加により発生させる磁場低減コイルと、 
外部磁場を打ち消す磁場を、外部磁場の印加により発生させる、
前記磁場低減コイルとは異なる電流供給コイルを有し、
前記電流供給コイルは、外部磁場を打ち消す電流を供給するように、前記磁場低減コイルと接続されることを特徴とする。
【発明の効果】
【０００９】
本発明によれば、時計に作用する磁束密度が変化したとき、誘導電流によって反発する磁束を発生させ、作用する磁束を弱める。これにより、従来よりも磁力の影響が軽減される。また、ひげぜんまいを覆わないため、美観を維持できる。さらに、時計の設計変更をほとんどする必要がないので、低コストで実施可能である。
本発明では、電池等の電源を用いないので、永続的に効果を発揮できる。
【図面の簡単な説明】
【００１０】
【図１】本発明の第１実施形態に係る回路部品１の斜視図である。
【図２】電流調節器の一例を含んだ図１に示す回路部品１の斜視図である。
【図３】図２に示す整流回路４２の内部構成を示す図である。
【図４】図２に示す磁極スイッチ４３の第１形態の説明図である。
【図５】図２に示す磁極スイッチ４３の第２形態の説明図である。
【図６】回路部品１に紙面上から磁石のＮ極が接近したときの説明図である。
【図７】図６の場合における、電流経路を示す簡単な回路図である。
【図８】回路部品１に紙面上に磁石のＮ極が離脱したときの説明図である。
【図９】図８の場合における、電流経路を示す簡単な回路図である。
【図１０】回路部品１に紙面上から磁石のS極が接近したときの説明図である。
【図１１】図１０の場合における、電流経路を簡単な示す回路図である。
【図１２】回路部品１に紙面上に磁石のS極が離脱したときの説明図である。
【図１３】図１２の場合における、電流経路を簡単な示す回路図である。
【図１４】本発明の第１実施形態を、時計の文字板に搭載した図である。
【図１５】図１４に示す形態の、ＸＶ−ＸＶ線断面図である。
【図１６】本発明の第１実施形態を表す平面図である。
【図１７】本発明の第１実施形態を、時計の裏蓋側に搭載した断面図である。
【図１８】本発明の第２実施形態を、時計に搭載した断面図である。
【図１９】本発明の第３実施形態を、時計の文字板に搭載した図である。
【図２０】本発明の第４実施形態を、時計の文字板に搭載した図である。
【図２１】本発明の第５実施形態における、電流供給コイルの部品斜視図である。
【図２２】本発明の第６実施形態を、時計の文字板に搭載した平面図である。
【発明を実施するための形態】
【００１１】
以下、添付図面を参照しながら、本発明の原理および実施形態について詳細に説明する。なお、図面の説明において、同一または相当要素には同一の符号を付し、重複する説明は省略する。
【００１２】
図1は、本発明の第１実施形態に係る回路部品１の斜視図であり、図２は電流調節器４の好適な仕組みを展開して示す図である。
【００１３】
なお、図１、図２は本発明の概念を示す図であり、各要素の大小、配置などは、後述の実施例や実物とは異なる。
【００１４】
本実施形態に係る磁場低減部材である回路部品１は、電流供給コイル２と電流供給コイルよりも小さい径を持つ磁場低減コイル３を持ち、さらには電流調節器４を備えており、主に、機器として機械式時計のムーブメントに取り付けて使用される。よって、電流供給コイル２は、磁場低減コイル３よりも大きな閉面積を有する。
電流供給コイル２は、主に時計ムーブメントの外周に配置され、磁場低減コイル３は、主にてんぷ周囲などの磁場影響を受けやすい箇所に配置される。時計が外部磁場を受けると、電流供給コイル２は、磁場低減コイル３にて外部磁場をキャンセルするような電流を発生させ、磁場低減コイル３に供給する。
電流調節器４は、電流供給コイル２と磁場低減コイル３の接続経路の間に配置され、外部の磁場の向きにかかわらず磁場低減コイル３にて外部の磁場をキャンセル可能な方向に電流を流すために電流を調節する役目を果たしている。詳細な動作は、後述する。
【００１５】
電流調節器４は、好ましくは、図２に示すように、抵抗４１、整流回路４２および磁極
スイッチ４３で構成されている。
【００１６】
抵抗４１は、外部の磁場により電流供給コイル２と磁場低減コイル３に発生する誘導起電力（電圧）から、電流を得るために挿入されている。抵抗４１の抵抗値は、適切な大きさの電流を得るために設計される。
【００１７】
整流回路４２は、磁束密度が増加した（磁場に近付いた）場合と、磁束密度が減少した（磁場から遠退いた）場合の両方で、磁場低減コイルに流れる電流の向きを同じにする役目を果たしている。
【００１８】
磁極スイッチ４３は、回路部品１に作用する磁界の向き（Ｎ極かＳ極か）によって電流の回転方向を変化させる役目を果たしている。
図３は、図２に示す整流回路４２の内部構成を示す図である。
【００１９】
図３の右側の端子４２５、４２６は、電流供給コイル２に接続され、端子４２５には、電流供給コイル２からの電流４２５１、４２６１が作用し、端子４２６には、電流供給コイル２からの電流４２５２、４２６２が作用する。
【００２０】
図３の左側の端子４２７、４２８は、磁場低減コイル３に接続され、電流４２７１、４２７２を出力する。図３に示すように、整流回路４２は４個のダイオード４２１、４２２、４２３、４２４で構成されており、方向の異なる作用電流４２５１、４２５２と４２６１、４２６２に対し、出力電流４２７１、４２７２の様に、電流方向を単一に整える作用を持つ。
例えば、整流回路４２の右側において、矢印Ｉで示す反時計回りに電流が流れようとしたとき、作用電流４２５１はダイオード４２１を介して第１出力電流４２７１となり、作用電流４２５２はダイオード４２４を介して第１出力電流４２７２となっている。
更に例えば、整流回路４２の右側において、矢印ＩＩで示す時計回りに電流が流れようとしたとき、作用電流４２６１はダイオード４２３を介して第１出力電流４２７２となり、作用電流４２６２はダイオード４２２を介して第１出力電流４２７１となっている。
以上の例により、整流回路４２の右側に作用する電流の方向によらず、整流回路４２の左側に発生する電流は矢印ＩＩＩで示す反時計回りとなる。
【００２１】
なお、整流回路の特性上、４つのダイオード４２１、４２２、４２３、４２４は同一の特性を有するものとする。
【００２２】
図４は、回路部品１に磁石６０のＮ極が作用したときに現れる、磁極スイッチ４３の第１形態４３０の説明図であり、図５は、回路部品１に磁石６０のＳ極が作用したときに現れる、磁極スイッチ４３の第２形態４３１の説明図である。磁石６０は、外部磁場要因の一例として示している。
【００２３】
図４に示すように、第１形態４３０では、右側に矢印ＩＩＩで示す反時計回りの第１出力電流４２７１、４２７２が作用したとき、左側でも矢印ＩＶで示す反時計回りの第２出力電流４３２１、４３２２が発生する。
【００２４】
図５に示すように、第２形態４３１では、右側に矢印ＩＩＩで示す反時計回りの第１出力電流４２７１、４２７２が作用したとき、左側では矢印Ｖで示す時計回りの第２流出電流４３３１、４３３２が発生する。
【００２５】
なお、磁極スイッチ４３は適宜の磁気リレーや磁気半導体等で構成可能であるが、その詳細構成は本願の本質部分では無いので、説明は省略する。
【００２６】
以下、回路部品１の第１実施形態の機能を説明する。簡単のため、磁場をスカラーで表し、ダイオードの抵抗値も簡略化して表現している。
【００２７】
図６は、図２の回路部品１の平面図に、紙面上方向より磁石のＮ極が接近したときの様態を示す図であり、図７は、図６の場合の電流の経路を簡単に示した回路図である。
【００２８】
なお、図６で、図示の関係で抵抗４１の位置が図２と異なるが、回路的には同じ効果を果たしている。
【００２９】
図６に示すように、回路部品１周辺の磁場６１で、６２１で示す向きの磁束密度が増加したとき、電流供給コイル２と磁場低減コイル３にはそれぞれ誘導起電力２１１と３１１が、反時計回り方向に電流を流すように生じ、それらを電源として、電流５２１、５３１が反時計回りに流れる。電流５２１と５３１は同じ大きさであり、後述の数式２から求めることが出来る。
【００３０】
電流の経路としては、電流供給コイル２を起点とすると、電流５２１は、作用電流４２５１として整流回路４２のダイオード４２１を通り、次に、第1出力電流４２７１として磁極スイッチ４３の第1形態４３０を通り、さらに、第２出力電流４３２１として抵抗４１と磁場低減コイル３に作用して、電流５３１となり、第２出力電流４３２２として磁極スイッチ４３の第1形態４３０を通り、第１出力電流４２７２として整流回路４２のダイオード４２４を通り、作用電流４２５２として、再び電流供給コイル２に、電流５２１として循環する。
【００３１】
この電流５２１、５３１によって誘導磁場がそれぞれ方向２２１、３２１に発生する。このとき、外部から作用する磁場の方向６２１と、磁場低減コイル３に発生する誘導磁場の方向３２１は逆向きであるため、磁束密度が相殺される。
また、この場合において、整流回路４２のダイオード４２１と４２４および、磁極スイッチ４３の第1形態４３０を介して、図３、図４における電流方向４２５１、４２７１、４３２１および４３２２、４２７２、４２５２にて電流供給コイル２と磁場低減コイル３に接続され、電流供給コイル２から磁場低減コイル３に流れる。
【００３２】
図７は、図６の電流の経路を回路図にて示したものである。
電源２３１は、電流供給コイル２における誘導起電力Ｖ１を表し、電源３３１は、磁場低減コイル３における誘導起電力Ｖ２を表す。ここで、コイルに発生する誘導起電力Ｖは以下の式で導くことができる。
【００３３】
【数１】
2019035662.tif 000003
ただし、Ｎはコイルの巻数、πは円周率、ｒはコイルの半径、ΔＢ／Δｔは単位時間当たりの磁束の変化量である。
また、図２における抵抗４１の抵抗値をＲ、図３におけるダイオード４２１、４２４の抵抗値をＲＤとすると、
この回路に流れる電流５０１をＩとしたとき、キルヒホッフの法則から、
Ｖ１−ＲＤＩ−ＲＩ＋Ｖ２−ＲＤＩ＝０
となる。これより、以下の式が得られる。
【００３４】
【数２】
2019035662.tif 000004
以上の様に、電流を求めることができる。
そして、電流によってコイルに生じる磁界Ｂは、以下の式で導くことができる。
【００３５】
【数３】
2019035662.tif 000005
ただし、μはその場の透磁率である。
ここで、回路に外界から作用する磁場をＢ外、電流供給コイル２に発生する誘導磁場をＢ１、磁場低減コイルに発生する誘導磁場をＢ２とおくと、磁場低減コイルの領域の合成磁場ＢＡＬＬは、以下のように表すことができる。
【００３６】
【数４】
2019035662.tif 000006
ここで、Ｎ１は電流供給コイル２の巻数、Ｎ２は磁場低減コイル３の巻数、ｒ１は電流供給コイル２の半径、ｒ２は磁場低減コイル３の半径である。
このとき、磁界を弱める条件は、｜ＢＡＬＬ｜＜｜Ｂ外｜である。
【００３７】
図８は、図２の回路部品１の平面図に、紙面上方向へ磁石のＮ極が離脱したときの様態を示す図であり、図９は、図８の場合の電流の経路を簡単に示した回路図である。
【００３８】
なお、図８で、図示の関係で抵抗４１の位置が図２と異なるが、回路的には同じ効果を果たしている。
【００３９】
図８に示すように、回路部品１周辺の磁場６１で、向き６２２で示す向きの磁束密度が減少したとき、電流供給コイル２と磁場低減コイル３にはそれぞれ誘導起電力２１２と３１２が時計回り方向に電流を流すように生じ、それらを電源として、それぞれ電流５２２が時計回りに、電流５３２が反時計回りに流れる。電流５２２と５３２は同じ大きさであり、後述の数式５から求めることが出来る。
【００４０】
電流の経路としては、電流供給コイル２を起点とすると、電流５２２が、作用電流４２６２として整流回路４２のダイオード４２２を通り、次に、第1出力電流４２７１として磁極スイッチ４３の第1形態４３０を通り、さらに、第２出力電流４３２１として抵抗４１と磁場低減コイル３に作用して、電流５３２となり、第２出力電流４３２２として磁極スイッチ４３の第１形態４３０を通り、第１出力電流４２７２として整流回路４２のダイオード４２３を通り、作用電流４２６１として、再び電流供給コイル２に、電流５２１として循環する。
【００４１】
この電流５２２、５３２によって誘導磁場がそれぞれ方向２２２、３２２に発生する。このとき、外部から作用する磁場の方向６２２と、磁場低減コイル３に発生する誘導磁場の方向３２２は逆向きであるため、磁束密度が相殺される。
【００４２】
またこの場合において、整流回路４２のダイオード４２２と４２３および、磁極スイッチ４３の第１形態４３０を介して、図３、図４における電流方向４２６２、４２７１、４３２１および４３２２、４２７２、４２６１にて電流供給コイル２と磁場低減コイル３に接続され、電流供給コイル２から磁場低減コイル３に流れる。
【００４３】
図９は、図８の電流の経路を回路図にて示したものである。
【００４４】
電源２３２は、電流供給コイル２における誘導起電力Ｖ１を表し、電源３３２は、磁場低減コイル３における誘導起電力Ｖ２を表す。
【００４５】
図２における抵抗４１の抵抗値をＲ、図３におけるダイオード４２２、４２３の抵抗値をＲＤとする。
この回路に流れる電流５０２をＩとしたとき、キルヒホッフの法則から、
Ｖ１−ＲＤＩ−ＲＩ−Ｖ２−ＲＤＩ＝０
となる。これより、以下の式の様に電流を求めることができる。
【００４６】
【数５】
2019035662.tif 000007
このとき、Ｉ＞０でなければならないので、Ｖ１＞Ｖ２、すなわち、Ｎ１ｒ１２＞Ｎ２ｒ２２
となる。
ここで、回路に外界から作用する磁場をＢ外、電流供給コイル２に発生する誘導磁場をＢ１、磁場低減コイルに発生する誘導磁場をＢ２とおくと、磁場低減コイルの領域の合成磁場ＢＡＬＬは、以下の式で表すことができる。
【００４７】
【数６】
2019035662.tif 000008
ここで、Ｎ１は電流供給コイル２の巻数、Ｎ２は磁場低減コイル３の巻数、ｒ１は電流供給コイル２の半径、ｒ２は磁場低減コイル３の半径である。
このとき、磁界を弱める条件は、｜ＢＡＬＬ｜＜｜Ｂ外｜であり、Ｎ１ｒ１２＞Ｎ２ｒ２２であるので、Ｎ１/ｒ１＜Ｎ２/ｒ２となる。
【００４８】
図１０は、図２の回路部品１の平面図に、紙面上方向より磁石のＳ極が接近したときの様態を示す図であり、図１１は、図１０の場合の電流の経路を簡単に示した回路図である。
【００４９】
なお、図１０で、図示の関係で抵抗４１の位置が図２と異なるが、回路的には同じ効果
を果たしている。
【００５０】
図１０に示すように、回路部品１周辺の磁場６１で、向き６２３で示す向きの磁束密度が増加したとき、電流供給コイル２と磁場低減コイル３にはそれぞれ誘導起電力２１３と３１３が、時計回り方向に電流を流すように生じ、それらを電源として、電流５２３ 、５３３が時計回りに流れる。電流５２３と５３３は同じ大きさである。以下の数式７から求めることが出来る。
【００５１】
電流の経路としては、電流供給コイル２を起点とすると、電流５２３は、作用電流４２６２として整流回路４２のダイオード４２２を通り、次に、第1出力電流４２７１として磁極スイッチ４３の第２形態４３１を通り、さらに、第２出力電流４３３２として抵抗４１と磁場低減コイル３に作用して、電流５３３となり、第２出力電流４３３１として磁極スイッチ４３の第２形態４３１を通り、第１出力電流４２７２として整流回路４２のダイオード４２３を通り、作用電流４２６１として、再び電流供給コイル２に、電流５２３として循環する。
【００５２】
この電流５２３、５３３によって誘導磁場がそれぞれ方向２２３、３２３に発生する。このとき、外部から作用する磁場の方向６２３と、磁場低減コイル３に発生する誘導磁場の方向３２３は逆向きであるため、磁束密度が相殺される。
またこの場合において、整流回路４２のダイオード４２２と４２３および、磁極スイッチ４３の第２形態４３１を介して、図３、図４における電流方向４２６２、４２７１、４３３２および４３３１、４２７２、４２６１にて電流供給コイル２と磁場低減コイル３に接続され、電流供給コイル２から磁場低減コイル３に流れる。
図１１は、図１０の電流の経路を回路図にて示したものである。
【００５３】
電源２３３は、電流供給コイル２における誘導起電力Ｖ１を表し、電源３３３は、磁場低減コイル３における誘導起電力Ｖ２を表す。
また図２における抵抗４１の抵抗値をＲ、図３におけるダイオード４２３、４２２の抵抗値をＲＤとする。
この回路に流れる電流５０３をＩとしたとき、キルヒホッフの法則から、
Ｖ１−ＲＤＩ＋Ｖ２−ＲＩ−ＲＤＩ＝０
となる。これより、以下の式の様に電流を求めることができる。
【００５４】
【数７】
2019035662.tif 000009
ここで、回路に外界から作用する磁場をＢ外、電流供給コイル２に発生する誘導磁場をＢ１、磁場低減コイルに発生する誘導磁場をＢ２とおくと、磁場低減コイルの領域の合成磁場ＢＡＬＬは、以下の式で表すことができる。
【００５５】
【数８】
2019035662.tif 000010
このとき、磁界を弱める条件は、｜ＢＡＬＬ｜＜｜Ｂ外｜である。
ここで、Ｎ１は電流供給コイル２の巻数、Ｎ２は磁場低減コイル３の巻数、ｒ１は電流供給コイル２の半径、ｒ２は磁場低減コイル３の半径である。
【００５６】
図１２は、図２の回路部品１の平面図に、紙面上方向へ磁石のＳ極が離脱したときの様態を示す図であり、図１３は、図１２の場合の電流の経路を簡単に示した回路図である。
【００５７】
なお、図１２で、図示の関係で抵抗４１の位置が図２と異なるが、回路的には同じ効果を果たしている。
【００５８】
図１２に示すように、回路部品１周辺の磁場６１で、向き６２４で示す向きの磁束密度が減少したとき、電流供給コイル２と磁場低減コイル３にはそれぞれ誘導起電力２１４と３１４が反時計回りに生じ、それらを電源として、それぞれ電流５２４が反時計回りに、電流５３４が時計回りに流れる。電流５２４と５３４は同じ大きさであり、下記の数式９から求めることが出来る。
【００５９】
電流の経路としては、電流供給コイル２を起点とすると、電流５２４が、作用電流４２５１として整流回路４２のダイオード４２１を通り、次に、第1出力電流４２７１として磁極スイッチ４３の第２形態４３１を通り、さらに、第２出力電流４３３２として抵抗４１と磁場低減コイル３に作用して、電流５３４となり、第２出力電流４３３１として磁極スイッチ４３の第２形態４３１を通り、第１出力電流４２７２として整流回路４２のダイオード４２４を通り、作用電流４２５２として、再び電流供給コイル２に、電流５２４として循環する。
【００６０】
この電流５２４、５３４によって誘導磁場がそれぞれ方向２２４、３２４に発生する。このとき、外部から作用する磁場の方向６２４と、磁場低減コイル３に発生する誘導磁場の方向３２４は逆向きであるため、磁束密度が相殺される。
【００６１】
またこの場合において、整流回路４２のダイオード４２１と４２４および、磁極スイッチ４３の第２形態４３１を介して、図３、図４における電流方向４２５１、４２７１、４３３２および４３３１、４２７２、４２５２にて電流供給コイル２と磁場低減コイル３に接続され、電流供給コイル２から磁場低減コイル３に流れる。
【００６２】
図１３は、図１２の電流の経路を回路図にて示したものである。
【００６３】
電源２３４は、電流供給コイル２における誘導起電力Ｖ１を表し、電源３３４は、磁場低減コイル３における誘導起電力Ｖ２を表す。
図２における抵抗４１の抵抗値をＲ、図３におけるダイオード４２１、４２４の抵抗値をＲＤとする。
この回路に流れる電流５０２をＩとしたとき、キルヒホッフの法則から、
Ｖ１−ＲＤＩ−Ｖ２−ＲＩ−ＲＤＩ＝０
となる。これより、以下の式の様に電流を求めることができる。
【００６４】
【数９】
2019035662.tif 000011
このとき、Ｉ＞０でなければならないので、Ｖ１＞Ｖ２、すなわち、Ｎ１ｒ１２＞Ｎ２ｒ２２
となる。
ここで、回路に外界から作用する磁場をＢ外、電流供給コイル２に発生する誘導磁場をＢ１、磁場低減コイルに発生する誘導磁場をＢ２とおくと、磁場低減コイルの領域の合成磁場ＢＡＬＬは、以下の式で表すことができる。
【００６５】
【数１０】
2019035662.tif 000012
ここで、Ｎ１は電流供給コイル２の巻数、Ｎ２は磁場低減コイル３の巻数、ｒ１は電流供給コイル２の半径、ｒ２は磁場低減コイル３の半径である。
このとき、磁界を弱める条件は、｜ＢＡＬＬ｜＜｜Ｂ外｜であり、Ｎ１ｒ１２＞Ｎ２ｒ２２であるので、Ｎ１/ｒ１＜Ｎ２/ｒ２となる。
【００６６】
以上で動作原理を説明したが、以下で、実時計への適用事例を示す。
【００６７】
図１４は、回路部品１の第１実施形態を、時計１００の文字板２００に搭載したものを示しており、図１５は図１４のＸＶ−ＸＶ断面図である。
【００６８】
また、図１６は、回路部品１の第１実施形態を板状部材１０に搭載したものを示している。
【００６９】
回路部品１の電流供給コイル２は時計１００の外周に取り付けられ、磁場低減コイル３は機械式時計において磁場に敏感な部分１０１に配置している。磁場に敏感な部分１０１は、特にひげぜんまいである。
【００７０】
この構成によれば、時計を腕に装着して町を歩行した際、スマートホンなどの磁場を発する物体とすれ違ったとき、その磁場の影響を和らげることが期待できる。
【００７１】
ところで、回路部品１は、電流供給コイル２、磁場低減コイル３、電流調節器４をそれぞれムーブメント１００に組み込んでも良いが、図１６に示すように、板状部材１０に電流供給コイル２、磁場低減コイル３、電流調節器４に載置し、シート状の回路部材としてしても良い。この形態での回路部品１を「磁場低減コイルシート」とも呼ぶ。図１７もこの実施形態で図示されている。
【００７２】
磁場低減コイルシートにおいては、電流供給コイル２、磁場低減コイル３は、電線で作成したコイルを板状部材１０に接着しても良いし、プリント基板と同様のプリント配線で１枚の板状部材１０に構成しても良い。
【００７３】
板状部材１０は、ガラエポ等の回路基板でも良いが、透明基板とすれば意匠性を上げることが可能である。
【００７４】
なお、電流調節器４は説明の都合上、図示を省略しているが、適宜の回路実装技術により実装されているものとする。
【００７５】
さらに、別体の磁化軽減コイルシートで構成するほか、図１５のように、文字板２００に直接電流供給コイル２、磁場低減コイル３、電流調節器４を搭載し、磁場低減コイルシートとして使用しても良い。
【００７６】
図１４，１５は、電流供給コイル２と磁場低減コイル３を文字板２００の視認側に配置し、積極的に装飾としてみせる構成であるが、後述の図１７のように、視認不可の裏面側に配置しても良い。別体の磁場低減コイルシートを文字板２００の裏面に配置する構成でも良い。このようにすれば、特殊な文字板とする必要が無い。
【００７７】
図１７は、回路部品１の第１実施形態を備えた板状部材１０を、時計１００の裏蓋側に搭載した断面図である。このように配置すると、コイルの存在が目立たなくなるので、時計の外観を従来と同じにできる。
【００７８】
図１７では、ムーブメント１００に磁場低減コイルシートを配置しているが、不図示の裏蓋に貼り付けても良い。
【００７９】
図１８は、回路部品１の第２実施形態を示す断面図である。第２実施形態は、電流供給コイル２を文字板２００に搭載し、磁場低減コイル３を裏蓋側に搭載している。
【００８０】
通常、磁場は文字板側から作用するので、相殺する磁場を発生させるのに重要な役割を持つ電流が誘導される電流供給コイル２を、文字板側に配置してより多くの磁界変化にさらし、相殺する磁場を発生させる磁場低減コイル３を、ひげぜんまいが近い裏蓋側に配置することで、相殺された場の影響を、ひげぜんまいにより多く作用させることができる。
【００８１】
この場合、電流供給コイル２、磁場低減コイル３それぞれについて、磁場低減コイルシートとして配置しても良い。そうすれば、両コイルの接続に適宜のＦＰＣなどの接続部材が使用可能である。電流調節器４は各磁場低減コイルシートのいずれか、もしくはＦＰＣなどの接続部材に実装されることとなる。
【００８２】
図１９は、本発明の第３実施形態を時計文字板に搭載した平面図である。
本実施形態では、回路部品１は、第２実施形態と同様に時計ムーブメント１００外周に配置される外周電流供給コイル２２と、平面的に磁場低減コイル３と外周電流供給コイル２２の間に配置される内周電流供給コイル２１を有する。詳細図示は省略するが、内周電流供給コイル２１と外周電流供給コイル２２は1個の電流供給コイルとして機能するように接続されている。
【００８３】
電流供給コイルを２個有することで、第２実施形態よりも大きなキャンセル電流を発生させることが可能である。
【００８４】
また、意匠性を高く出来るので、新たなる美観を提案できる。
【００８５】
なお、図１９では内周電流供給コイル２１は１個のみだが、複数個配置しても良い。
【００８６】
図２０は、本発明の第４実施形態を時計文字板に搭載した平面図である。
【００８７】
本実施形態では、回路部品１は、時計外周より小径の２個の電流供給コイル２３、２４
を有する。詳細図示は省略するが、電流供給コイル２３，２４は1個の電流供給コイルとして機能するように接続されている。
【００８８】
これら３つのコイルは同じもので作成することができるので、製造コストが抑えられるうえ、機能美としての見た目の美しさも向上する。例えば、電流供給コイル２３，２４を小針の表示窓の装飾とすることも出来る。
なお、コスト面を無視すれば、電流供給コイル２３，２４の大きさは異なっていても良い。また、３個以上配置しても良く、各コイルの大きさを変えても良い。
このように、電流供給コイルは一つに限らず、かつ、磁場低減コイルよりも径が小さくてもよい。
【００８９】
図２１は、本発明の第５実施形態を示す斜視図である。
本実施形態に依れば、回路部品１の電流供給コイル２がピッチの大きなソレノイドを模して形成されている。
【００９０】
ここで、第１〜４実施形態においては、回路平面に対し垂直な成分の磁界にしか対応できなかった。そこで、様々な角度からおよぼされる磁界に対応するため、電流供給コイル２をピッチの粗い環状とした。
【００９１】
以上説明した実施形態に示した具体的な構成は例示として示したものであり、本明細書にて開示される発明をこれら具体例の構成そのものに限定するものではない。
【００９２】
各実施形態では、外部の磁場の影響を低減する対象をてんぷ（ひげぜんまい）としたが、これに限らないし、時計も機械式時計に限定されない。
【００９３】
例えば、指針式電子時計において、指針や日板等の表示部材を駆動するステップモータに対して適用しても良い。この場合、ステップモータの周囲に磁場低減コイル３を配置する。
保護すべきステップモータが複数の場合、ステップモータ毎に磁場低減コイル３を配置しても良いし(形態的には、図２０の形状に近くなる)、全ステップモータを囲むような１個の磁場低減コイル３を配置しても良い。
【００９４】
図２２は、本発明の第６実施形態を時計文字板に搭載した平面図である。
【００９５】
本実施形態では、電流供給コイル２と磁場低減コイル３は、角の取れた八角形の形状となっている。
【００９６】
このように。電流供給コイル２や磁場低減コイル３は、全て円形で説明してきたがこれには限らず、滑らかな閉ループであれば、楕円形状や角型（角は滑らかにする必要は有る）でも良い。ステップモータへ適用する場合に、楕円形状や角型を適用すれば配置面積を省略可能である。
【００９７】
電子時計に当てはめた、図２２の例の場合、電流供給コイル２はアナログ時計用ムーブメント１００の外周に配置し、磁場低減コイル３は磁場敏感部であるステップモータ１０１の周りに配置すれば良い。
【００９８】
各実施形態では、時計の外装内部に回路部品１を配置する構成を示したが、時計の外装
外部に磁場低減コイルシートを貼り付けるなどして使用しても良い。
【００９９】
この場合、既に購入済の時計の外部磁場の影響低減も可能となる。
【符号の説明】
【０１００】
１  回路部品
２  電流供給コイル
２１  内周電流供給コイル
２２  外周電流供給コイル
３  磁場低減コイル
２３１、２３２、２３３、２３４  電流供給コイル誘導起電力
３３１、３３２、３３３、３３４  磁場低減コイル誘導起電力
２１１、２１２、２１３、２１４、３１１、３１２、３１３、３１４  誘導起電力方向
２２１、２２２、２２３、２２４、３２１、３２２、３２３、３２４  誘導磁場方向
４  電流調節器
４１  抵抗
４２  整流回路
４２１、４２２、４２３、４２４  ダイオード
４２５、４２６、４２７、４２８  端子
４２５１、４２５２、４２６１、４２６２  作用電流
４２７１、４２７２  第１出力電流
４３  磁極スイッチ
４３０  磁極スイッチ第１形態
４３１  磁極スイッチ第２形態
４３２１、４３２２、４３３１、４３３２  第２出力電流
５０１、５０２、５０３、５０４、５２１、５２２、５２３、５２４、５３１、５３２、５３３、５３４  電流
６０  磁石
６１  磁場
６２１、６２２、６２３、６２４  磁場の向き
１０  板状部材
１００  時計ムーブメント
１０１  磁場敏感部
２００  文字板
【図１】
2019035662.tif 000013
【図２】
2019035662.tif 000014
【図３】
2019035662.tif 000015
【図４】
2019035662.tif 000016
【図５】
2019035662.tif 000017
【図６】
2019035662.tif 000018
【図７】
2019035662.tif 000019
【図８】
2019035662.tif 000020
【図９】
2019035662.tif 000021
【図１０】
2019035662.tif 000022
【図１１】
2019035662.tif 000023
【図１２】
2019035662.tif 000024
【図１３】
2019035662.tif 000025
【図１４】
2019035662.tif 000026
【図１５】
2019035662.tif 000027
【図１６】
2019035662.tif 000028
【図１７】
2019035662.tif 000029
【図１８】
2019035662.tif 000030
【図１９】
2019035662.tif 000031
【図２０】
2019035662.tif 000032
【図２１】
2019035662.tif 000033
【図２２】
2019035662.tif 000034